(57)【特許請求の範囲】
【請求項１】
監視可能なさまざまなタイプのインタフェースを備えたセルラ無線通信ネットワークを公衆交換回線網（ＰＳＴＮ）に相互接続することができる少なくとも一つの移動交換局（ＭＳＣ）と、前記各移動交換局（ＭＳＣ）に接続された少なくとも一つの基地局制御装置（ＢＳＣ）と、前記各基地局制御装置（ＢＳＣ）に接続され、その各々が一つの地理的セルに付随する少なくとも一つの基地トランシーバ局（ＢＴＳ）とを備えた、移動局（ＭＳ）と無線通信を行うためのセルラ無線通信ネットワークを制御するためのシステムであって、
前記監視可能なタイプのインタフェースの中の少なくとも一つのインタフェースを経由して伝わる信号情報を記録および時間刻印するための固定的若しくは非移動的手段と、
前記記録および時間刻印された信号データを集中化するための固定的手段と、
信号情報が記録された各インタフェースからのダウンラインに位置する前記セルラ無線通信ネットワークの部分を正確に局所限定するために、局所限定情報を前記信号データと結合させるための手段と、
を備え、
前記記録および時間刻印のための固定的若しくは非移動的手段は、
単一かつ同一のタイプに属する少なくとも一つの別個のインタフェースのレベルにおいて、該別個のインタフェースを経由して伝わる信号情報を記録および時間刻印するために前記セルラ無線通信ネットワークに接続された少なくとも一つのプロトコルアナライザから成る、少なくとも一つのグループを備え、
前記信号データを集中化するための固定的手段は、
それぞれが、前記少なくとも一つのプロトコルアナライザから成る別個のグループに付随するとともに、監視可能なタイプのインタフェースとも結合した、少なくとも一つの信号データベースと、
前記各プロトコルアナライザによって記録および時間刻印された前記信号情報を、該プロトコルアナライザがそれぞれ属するグループに付随する前記信号データベースに向けて送信するための送信手段と、
を備えたことを特徴とするセルラ無線通信ネットワークの制御システム。
【請求項２】
前記さまざまなタイプのインタフェースは、
その各々が一つの基地トランシーバ局（ＢＴＳ）とそれに対応する基地局制御装置（ＢＳＣ）との間に位置するＡｂｉｓインタフェースと、
その各々が一つの基地局制御装置（ＢＳＣ）とそれに対応する移動交換局（ＭＳＣ）との間に位置するＡインタフェースと、
その各々が、２つの移動交換局（ＭＳＣ）の間、一つの移動交換局（ＭＳＣ）とそれに対応する公衆交換回線網（ＰＳＴＮ）との間、または、一つの移動交換局（ＭＳＣ）と一つの中継局との間に位置する「ＣＣＩＴＴ信号システムＮｏ．７」インタフェース（ＩＳＵＰ、ＴＵＰ、ＳＳＵＴＲ２）と、
その各々が、一つの移動交換局（ＭＳＣ）と一つの特定データベース（ＨＬＲ、ＶＬＲ、ＡｕＣ、ＥＩＲ）との間に位置するＭＡＰインタフェースと、
を含むことを特徴とする請求項１に記載のセルラ無線通信ネットワークの制御システム。
【請求項３】
前記各プロトコルアナライザによって記録および時間刻印された前記信号情報を送信するための手段は、一つの独立した送信ネットワークを備えることを特徴とする請求項１に記載のセルラ無線通信ネットワークの制御システム。
【請求項４】
前記記録および時間刻印するための固定的手段は、また前記各プロトコルアナライザを遠隔的に制御するための手段をも備えることを特徴とする請求項１に記載のセルラ無線通信ネットワークの制御システム。
【請求項５】
監視可能なさまざまなタイプのインタフェースを備えたセルラ無線通信ネットワークを公衆交換回線網（ＰＳＴＮ）に相互接続することができる少なくとも一つの移動交換局（ＭＳＣ）と、前記各移動交換局（ＭＳＣ）に接続された少なくとも一つの基地局制御装置（ＢＳＣ）と、前記各基地局制御装置（ＢＳＣ）に接続され、その各々が一つの地理的セルに付随する少なくとも一つの基地トランシーバ局（ＢＴＳ）とを備えた、移動局（ＭＳ）と無線通信を行うためのセルラ無線通信ネットワークを制御するためのシステムであって、
前記監視可能なタイプのインタフェースの中の少なくとも一つのインタフェースを経由して伝わる信号情報を記録および時間刻印するための固定的若しくは非移動的手段と、
前記記録および時間刻印された信号データを集中化するための固定的手段と、
信号情報が記録された各インタフェースからのダウンラインに位置する前記セルラ無線通信ネットワークの部分を正確に局所限定するために、局所限定情報を前記信号データと結合させるための手段と、
を備え、
前記局所限定情報を前記信号情報と結合させるための手段は、
局所限定データベースと、
それぞれが、時間刻印された局所限定情報を配信する一つの局所限定・時間刻印装置と、移動制御局として知られた、前記移動局の一つを備えた、少なくとも一つの移動制御ユニットと、
前記各信号データベース内に記憶された前記時間刻印された信号情報の少なくともある決まった情報要素が前記局所限定データベースに記憶された時間刻印された局所限定情報と結合するように、前記各信号データベースを前記局所限定データベースに同期させるための同期化手段と、
を備え、
前記移動制御局はデータ送信モードで機能するとともに、前記セルラ無線通信ネットワーク上の前記移動制御局によって構築された通信リンクを経由して、前記時間刻印された局所限定情報が前記局所限定データベースに送信されるように前記局所限定装置と協力し、
前記通信リンクに関する信号情報は、少なくなくとも一つの前記プロトコルアナライザによって記録かつ時間刻印されるとともに、該プロトコルアナライザがそれぞれ属するグループに結合する前記信号データベースに向けて送信され、そこに記憶されるように構成されたこと、
を特徴とするセルラ無線通信ネットワークの制御システム。
【請求項６】
前記局所限定・時間刻印装置は、単純または差分ＧＰＳシステムであることを特徴とする請求項５に記載のセルラ無線通信ネットワークの制御システム。
【請求項７】
前記局所限定・時間刻印装置はまた、固定された局所限定局をも含み、
前記移動制御局によって送信された前記局所限定情報は、前記局所限定局から配信されたデータフローと組み合わされた後、前記局所限定データベースに記憶され、これによって局所限定の精度が増大するように構成されたことを特徴とする請求項６に記載のセルラ無線通信ネットワークの制御システム。
【請求項８】
前記各移動制御ユニットはまた、前記局所限定・時間刻印装置から配信された前記時間刻印のなされた局所限定データをフォーマットするためのフォーマット手段をも備え、前記移動制御局から送信されたフレームに該情報を導入させることができるように構成されたことを特徴とする請求項５に記載のセルラ無線通信ネットワークの制御システム。
【請求項９】
時間刻印された信号情報およびそれに結合する時間刻印された局所限定データを処理および提供するための手段をさらに備えたことを特徴とする請求項５に記載のセルラ無線通信ネットワークの制御システム。
【請求項１０】
前記セルラ無線通信ネットワークはＧＳＭタイプであることを特徴とする請求項１又は５に記載のセルラ無線通信ネットワークの制御システム。
【請求項１１】
監視可能なさまざまなタイプのインタフェースを備えたセルラ無線通信ネットワークを公衆交換回線網（ＰＳＴＮ）に相互接続することができる少なくとも一つの移動交換局（ＭＳＣ）と、前記各移動交換局（ＭＳＣ）に接続された少なくとも一つの基地局制御装置（ＢＳＣ）と、前記各基地局制御装置（ＢＳＣ）に接続され、その各々が一つの地理的セルに付随する少なくとも一つの基地トランシーバ局（ＢＴＳ）とを備えた、移動局（ＭＳ）と無線通信を行うためのセルラ無線通信ネットワークを制御するための方法であって、
前記監視可能なタイプのインタフェースの中の少なくとも一つのインタフェースを介して伝わる信号情報を記録し、時間刻印し、そして集中化させる第１のステップと、
信号情報が記録される各インタフェースからのダウンラインに位置する前記セルラ無線通信ネットワークの部分を正確に局所限定するために、前記信号情報に局所限定情報を結合させるための第２のステップと、
を含み、
前記第１のステップは、
一つ以上の固定されたプロトコルアナライザを使用して、前記監視可能なタイプのインタフェースの中の少なくとも一つのインタフェースを介して伝わる信号情報を記録および時間刻印することと、
一つの独立するデータ送信ネットワークを介して、前記記録および時間刻印された信号情報を、各々が前記監視可能なタイプのインタフェースの一つに結合した一つ以上の信号データベースに向けて送信すること、
とを含むように構成され、
前記第２のステップは、
局所限定・時間刻印装置によって提供された前記時間刻印された局所限定情報を、特に移動制御局として知られる移動局（ＭＳ）によって構築された通信リンクを経由して、前記セルラ無線通信ネットワーク上の局所限定データベースへ送信させることと、
前記各信号データベース内に記憶された前記時間刻印された信号情報の少なくともある決まった情報要素が、前記局所限定データベースに記憶された時間刻印された局所限定データに結合するようにするために、前記各信号データベースを前記局所限定データベースと同期化させること、
とを含み、
前記通信リンクに関する信号情報は、少なくなくとも一つの前記プロトコルアナライザによって記録かつ時間刻印されるとともに、該プロトコルアナライザが属するグループに結合する前記信号データベースに向けて送信され、その後、該信号データベースに記憶されるように構成されたこと、
を特徴とするセルラ無線通信ネットワークの制御方法。
【請求項１２】
前記さまざまなタイプのインタフェースは、
その各々が一つの基地トランシーバ局（ＢＴＳ）とそれに対応する基地局制御装置（ＢＳＣ）との間に位置するＡｂｉｓインタフェースと、
その各々が一つの基地局制御装置（ＢＳＣ）とそれに対応する移動交換局（ＭＳＣ）との間に位置するＡインタフェースと、
その各々が、２つの移動交換局（ＭＳＣ）の間、一つの移動交換局（ＭＳＣ）とそれに対応する公衆交換回線網（ＰＳＴＮ）との間、または、一つの移動交換局（ＭＳＣ）と一つの中継局との間に位置する「ＣＣＩＴＴ信号システムＮｏ．７」インタフェース（ＩＳＵＰ、ＴＵＰ、ＳＳＵＴＲ２）と、
その各々が、一つの移動交換局（ＭＳＣ）と一つの特定データベース（ＨＬＲ、ＶＬＲ、ＡｕＣ、ＥＩＲ）との間に位置するＭＡＰインタフェースと、
を含むことを特徴とする請求項１１に記載のセルラ無線通信ネットワークの制御方法。
【発明の詳細な説明】
【０００１】
【発明の属する技術分野】
本発明は、移動局との通信を行うための、特にＧＭＳ(Global System for Mobile Communications) 標準に拠るとは限らない、セルラ無線通信ネットワーク(cellular radiocommunications nerwork)に関する。本発明は、特に、セルラ無線通信ネットワークを制御するためのシステムおよび方法に関する。
上記制御は、セルラ無線通信ネットワークの動作を最適化し、そして可能な限り迅速に障害を検出するためのものである。また、上記制御を介して、提供されれるサービスの質を評価することも求められる。
セルラ無線通信ネットワークを制御するには、その全体を描写することが必要である。実際、全体の描写によってのみ、セルラ無線通信ネットワークの欠点や障害が浮き彫りにされ、その原因が診断される。診断のスピードおよび正確さが増大するほど、より迅速な修正が可能になり、可能な限りユーザ間の不満の原因を減少させることができる。
【０００２】
【従来の技術】
ネットワークの動作を別個に監視することのできる、主に２つの制御技術が知られている。
これら２つのネットワーク制御技術についてのそれぞれの欠点を明らかにする前に、セルラ無線通信ネットワークについての数種の構造特性を図１に示す。
【０００３】
一般的にセルラ無線通信ネットワークは、セルラ無線通信ネットワークを固定された電話ネットワーク（例えば、公衆交換回線網（ＰＳＴＮ(Public switched telephone network))）に相互接続するための少なくとも一つの移動交換局(mobile switching center) （あるいはＧＭＳ標準におけるＭＳＣ）を備える。また少なくとも一つの基地局制御装置（あるいはＧＭＳ標準におけるＢＳＣ）が各移動交換局（ＭＳＣ）に接続されている。少なくとも一つの基地トランシーバ局(base tranceiver station) （あるいはＧＭＳ標準におけるＢＴＳ）は各基地局制御装置（ＢＳＣ）に接続されている。各基地トランシーバ局（ＢＴＳ）には、移動局（ＭＳ）が動き回ることのできる別々の地理的セルが付随している。加えて、ＨＬＲ(Home Location Resgister) （家庭用レジスタ）、ＶＬＲ(Visitor Location Register) （訪問者用レジスタ）、ＡｕＣ(Authentication Register) （認証用レジスタ）、そしてＥＩＲ(Equipment Identity Regizter) （装置同定用レジスタ）等の、さまざまな特定データベースが各移動交換局（ＭＳＣ）に接続されている。
【０００４】
従来から、以下の５タイプのインタフェースを区別することができる。一つ目は、各々が一つの移動局（ＭＳ）と基地トランシーバ局（ＢＴＳ）との間に位置するＡｉｒ（あるいはＵｍ）インタフェース、二つ目は、各々が一つの基地トランシーバ局（ＢＴＳ）とそれに対応する基地局制御装置（ＢＳＣ）との間に位置するＡｂｉｓインタフェース、三つ目は、各々が一つの基地局制御装置（ＢＳＣ）とそれに対応する移動交換局（ＭＳＣ）との間に位置するＡインタフェース、四つ目は、各々が一つの移動交換局（ＭＳＣ）とそれに対応する固定された電話ネットワーク（あるいはＰＳＴＮ）との間、または２つの移動交換局（ＭＳＣ）との間、あるいは一つの移動交換局（ＭＳＣ）と一つの中継局(transit center)との間に位置する、「ＣＣＩＴＴ信号システムＮｏ．７」インタフェース（ＩＳＵＰ、ＴＵＰ、ＳＳＵＴＲ２）、そして五つ目は、各々が一つの移動交換局（ＭＳＣ）と一つの特定データベースとの間に位置するＭＡＰ(Mobile Application Part) インタフェースである。
【０００５】
既知となっている第１のネットワーク制御技術は、“見張スタッフ”、すなわち、移動追跡ユニットとして知られる測定装置を持って検査域を内を移動するスタッフ、を使用するものである。（一般的にこの追跡装置は、読み出しデータを蓄積するためのコンピュータに接続された特別な移動電話である。）測定(field、ＴＥＢ、および他の測定）は、ＧＰＳ(Global Positioning System) の局限ビーコンを使って地理的位置に付随して行われる。こうして、Ａｉｒインタフェースに関して問題となる地域を明らかにする有効範囲マップを作成することが可能となる。
【０００６】
既知となっている第２のネットワーク制御技術は、出張して接続を回復させる見張スタッフを使用するものであり、これはネットワークの一つ以上のプロトコルアナライザと一つ以上のインタフェース（Ａｂｉｓ、Ａ、「ＣＣＩＴＴ信号システムＮｏ．７」、または再びＭＡＰ）との間の監視される地理的領域に依存する。各プロトコルアナライザは監視すべきインタフェース上を巡る信号フレームの傍受を行うことができる。検査後、そこからトラヒック、呼び出し失敗あるいは移動体間転送（あるいはハンドオーバ）、ネットワーク動作、そしてネットワークの振る舞いに関する重要な情報が引き出される。
【０００７】
こうした２つの既知技術の各々において、監視作業は当該ネットワークのある決まったインタフェースにおいてなされる。すなわち、ある技術ではＡｉｒインタフェース、別の技術ではＡｂｉｓ、Ａ、「ＣＣＩＴＴ信号システムＮｏ．７」、または再びＭＡＰインタフェースにおいてなされる。
【０００８】
【発明が解決しようとする課題】
しかしながら上記両従来技術とも欠点を有する。
第１の技術はＡｉｒインタフェースにおいて、ダウンリンクのラジオチャネルに関して固定局から移動局に向けてのみ実行されるので、限定された数の情報要素だけが取得される。特にこの技術は、（移動追跡ユニットからセルラ無線通信ネットワークへの）アップリンクに関する情報を取得するのに使用することはできない。実際、この“見張スタッフ”で知られる技術は消費者の観点からのネットワークの質についての部分的な理解を提供し、従ってネットワーク動作についての部分的なビジョンを与える。
【０００９】
さらに、第１の技術について、移動追跡ユニットからの情報のフィードバックは長く複雑である。実際、現時点では、各移動追跡ユニットに蓄積されたデータは、それが集中化され、包括的に処理されるように、ディスケット上に複写される。測定時間に加えて、こうしたすべてのための実質的な時間が必要とされ、結果を吟味するのに要する時間は言うに及ばず、ディスケットを介してデータを転送するのに要する時間が存在する。加えて、第１の技術において使用される移動追跡ユニットは大変高価なものである。実際、その価格は通常の移動局の価格の２０倍となっている。
【００１０】
第２の技術には、部分的にはよく洗練されたスタッフ陣が必要である。実際、限られた検査期間で適切な情報を引きだすには、各記録サイトにプロトコルアナライザを正しく接続し、それを十分に制御することのできる少なくとも一人の洗練された人間がいなければなければならない。
【００１１】
第２の技術においても、第１の技術と同様、（当該ケースにおけるプロトコルアナライザからの）フィードバックは長く複雑である。実際、現時点では、各プロトコルアナライザに蓄積されたデータは、それが集中化され、包括的に処理されるように、ディスケット上に複写される。測定時間に加えて、こうしたすべてのための実質的な時間が必要とされ、結果を吟味するにに要する時間は言うに及ばず、ディスケットを介してデータを転送するのに要する時間が存在する。
【００１２】
最後に第２の技術において、得られた情報に、セル自身に関する情報より正確な情報地理的情報を結合させることは不可能である。言い換えると、プロトコルアナライザによって検査されるセルラ無線通信ネットワークの部分を正確に局所限定することは不可能である。「検査されるセルラ無線通信ネットワークの部分」という言葉はここでは（プロトコルアナライザによって監視される）インタフェースと関心のある一つ以上の移動局（すなわち、それに関するプロトコル情報が監視されるインタフェースを通って伝搬する移動局）との間に位置するネットワーク部分を意味する。解析部分に関して正確に局所限定することができないので、グラウンド（ネットワークの最低位レベル）における動作の実際状況を正確に把握することが妨げられる。またこのことは、これらの解析された部分の質的な欠陥を補正するのに必要な測定を行うことが不可能であることを意味する。
【００１３】
こうして本発明の課題は、特に上記従来技術の欠点を軽減することにある。
特に本発明の課題の一つは、（特に、スタッフメンバの数を減少させることによって、そして移動追跡ユニットが必要とされないという事実によって）従来のアプローチよりもより簡易かつより安価なものでありながら、ネットワークの動作状況に関する情報を最大限に収集することのできる、セルラ無線通信ネットワークを制御するためのシステムおよび方法を提供することにある。
【００１４】
本発明の別の課題は、測定の間に得られるネットワークの動作状況に関するデータに基づいて、測定段階と供給段階の間の時間間隔を縮小させることのできる、セルラ無線通信ネットワークを制御するためのシステムおよび方法を提供することにある。
【００１５】
本発明のさらに別の課題は、（ネットワークを使用する）消費者の観点は言うに及ばず、（ネットワークを管理する）オペレータの観点に立って、ネットワークの動作を把握することのできるセルラ無線通信ネットワークを制御するためのシステムおよび方法を提供することにある。
【００１６】
本発明のもうさらに別の課題は、解析されるネットワーク部分を正確に局所限定するとともに、グラウンドにおける動作の実際状況を把握することのできるセルラ無線通信ネットワークを制御するためのシステムおよび方法を提供することにある。
【００１７】
本発明は以上の課題を解決し得るセルラ無線通信ネットワークを制御するためのシステムを提供する。
【００１８】
【課題を解決するための手段】
上述の目的を達成するために、本発明に係るセルラ無線通信ネットワークの制御システムにおいては、次のような手段を採用する。すなわち、監視可能なさまざなタイプのインタフェースを備えたセルラ無線通信ネットワークを公衆交換回線網（ＰＳＴＮ）に相互接続することができる少なくとも一つの移動交換局（ＭＳＣ）と、前記各移動交換局（ＭＳＣ）に接続された少なくとも一つの基地局制御装置（ＢＳＣ）と、前記各基地局制御装置（ＢＳＣ）に接続され、その各々が一つの地理的セルに付随する少なくとも一つの基地トランシーバ局（ＢＴＳ）とを備えた、移動局（ＭＳ）と無線通信を行うためのセルラ無線通信ネットワークを制御するためのシステムであって、
前記監視可能なタイプのインタフェースの中の少なくとも一つのインタフェースを経由して伝わる信号情報を記録および時間刻印するための固定的手段と、
前記記録および時間刻印された信号データを集中化するための固定的手段と、その上に信号情報が記録された各インタフェースからのダウンラインに位置する前記セルラ無線通信ネットワークの部分を正確に局所限定するために局所限定情報を前記信号データと結合させるための手段と、
を備える。
すなわち、本発明が提供する、特にＧＳＭ標準に準拠したセルラ無線通信ネットワークの制御システムは、監視可能なタイプのインタフェース（特に、Ａｂｉｓ、Ａ、「ＣＣＩＴＴ信号システムＮｏ．７」、ＭＡＰインタフェース）の中の少なくとも一つのインタフェースを経由して伝わる信号情報を記録および時間刻印するための固定的（すなわち非移動的）手段と、記録および時間刻印された信号データを集中化するための固定的手段と、信号情報がその上で記録された各インタフェースからのダウンラインに位置する当該セルラ無線通信ネットワークの部分を正確に局所限定するために、前記信号情報に局所限定情報を結合させるための手段を備える。
【００１９】
また、前記さまざまなタイプのインタフェースは、
その各々が一つの基地トランシーバ局（ＢＴＳ）とそれに対応する基地局制御装置（ＢＳＣ）との間に位置するＡｂｉｓインタフェースと、
その各々が一つの基地局制御装置（ＢＳＣ）とそれに対応する移動交換局（ＭＳＣ）との間に位置するＡインタフェースと、
その各々が、２つの移動交換局（ＭＳＣ）の間、一つの移動交換局（ＭＳＣ）とそれに対応する公衆交換回線網（ＰＳＴＮ）との間、または、一つの移動交換局（ＭＳＣ）と一つの中継局(transit center)との間に位置する「ＣＣＩＴＴ信号システムＮｏ．７」インタフェース（ＩＳＵＰ、ＴＵＰ、ＳＳＵＴＲ２）と、その各々が一つの移動交換局（ＭＳＣ）と一つの特定データベース（ＨＬＲ、ＶＬＲ、ＡｕＣ、ＥＩＲ）との間に位置するＭＡＰインタフェースと、
を含むことが好ましい。
【００２０】
このようの本発明の一般原理には、固定された記録および時間刻印手段（すなわち、その各々に、監視しなければならないある一つのある与えられたインタフェースが奉じられたプロトコルアナライザ）の使用と、（特に、Ａｂｉｓ、Ａ、「ＣＣＩＴＴ信号システムＮｏ．７」、そしてＭＡＰタイプの中の一つ以上のタイプに属する）これらのインタフェースにおいて取得されるすべての信号情報を自動的に集中化することが含まれる。
【００２１】
言い換えると本発明の一般原理は、ネットワークを継続的に監視するめに、（Ａｂｉｓ、Ａ、「ＣＣＩＴＴ信号システムＮｏ．７」、そしてＭＡＰタイプの中のいくつかの、あるいはすべてのタイプのインタフェースにおいて）一つ以上のプロトコルアナライザをネットワークに固定的に接続して、それらのプロトコルアナライザにこれらのインタフェースを介して伝達される信号メッセージを記録させ、そしてまた、それらのプロトコルアナライザによって記憶されたデータ要素を周期的に集中化させることにある。
【００２２】
これらの集中化されたデータ要素は、ひとたび妥当に記憶およびフォーマッティングされると、ネットワーク動作の問題点を検出するのに使用されることができる。
【００２３】
時間刻印のされた信号データの解析は、特にネットワークの負荷および挙動を使った研究と関係している。
【００２４】
局所限定情報を信号情報に結合させることは、（オペレータによって認識される）システムレベルでの動作ではなく、グラウンドにおける動作（すなわち、消費者またはユーザによって体験される動作）の制御を可能にすることが認識される。
【００２５】
この結合化は特にＡｂｉｓインタフェースの場合において利益的となることは認識しなければならない。というのは、この種の結合化はＡｉｒインタフェースにおける記録（そして、それゆえ非常にコストのかかる移動追跡ユニットの使用）を何も必要としないからである。実際、Ａｂｉｓインタフェースにおいて有効な信号情報要素は、ひとたび正確な地理的な位置に付随すると、Ａｉｒインタフェースにおけるものより一層完全なものとなる。
【００２６】
プロトコルメッセージ（すなわち信号情報）を生じさせる２つのタイプのイベント、つまり、
実際の（電話）加入者の通信および移動と、
プロトコルメッセージ生成器においてプログラムされたシナリオと
を区別することが可能である。
【００２７】
プロトコルメッセージ生成器（Ｔｅｋｅｌｅｃ  ＧＳＭ／ＴまたはＭＧＴＳタイプ）は、何千もの加入者の振る舞いを代表する、ありもしないトラヒックに対応する大量のフローを発生させることに気づかれる。これらのプロトコルメッセージに基づく監視は少なくとも以下の理由から重要である。まず、監視が試験プラットフォームでなされたとき、これらの監視は、特定のネットワーク要素（例えばＭＳＣやＢＳＣ）が、それが組み込まれた運転中のネットワークに対するサービスの質を侵害する振る舞いを示す限界を決定するのに使用することができる。そして、監視がセルラ無線通信ネットワーク自身の中でなされるとき、これらの監視は、ネットワーク要素の結合化の弱点を、それが本当のトラヒックにおいて（消費者に提供されたサービスにとって不運な結果を伴って）露呈される以前に、決定するのに使用することができる。
【００２８】
かくして本発明によるシステムは、プロトコルアナライザを接続するためであろうが、記録された信号情報を集中化させるためであろうが、サイトにいる技術者の移動をなんら必要としない。特にこのシステムによれば、上記従来技術において存在したディスケットの厄介な移し替えを回避することができる。
【００２９】
本発明のもう一つの利点は、それを、（Ａｂｉｓ、Ａ、「ＣＣＩＴＴ信号システムＮｏ．７」、そしてＭＡＰタイプの中の）ただ一つのタイプのインタフェース上で監視が行われるか、あるいは複数のタイプのインタフェース上で監視が行われるかに応じて、一つまたはそれ以上のレベルでネットワークを監視することに使用することができるということである。各インタフェースレベルは異った性質の情報を提供する。
【００３０】
かくして、Ａｂｉｓインタフェースで取得された信号情報は、特に、無線アップリンクおよび無線ダウンリンクの状態、そしてハンドオーバや通信コースに関する情報を提供する。
【００３１】
Ａインタフェースで取得された信号情報は、特に全体としての呼び出し処理（トラヒック、失敗呼び出し等）と移動性（ハンドオーバ）に関係する。
【００３２】
「ＣＣＩＴＴ信号システムＮｏ．７」で取得された信号情報は、主に公衆交換網（ＰＳＴＮ）と通信フローとのインタフェースに関する情報に関係する。
【００３３】
最後に、ＭＡＰインタフェースで取得された信号情報は、特に、移動装置、なされた呼び出しの移転等の移動に関する情報に関係する。
【００３４】
前記記録および時間刻印のための固定的手段は、
単一かつ同一のタイプに属する少なくとも一つの別個のインタフェースのレベルにおいて、該別個のインタフェースを経由して伝わる信号情報を記録および時間刻印するために前記セルラ無線通信ネットワークに接続された少なくとも一つのプロトコルアナライザから成る、少なくとも一つのグループを備え、
前記信号データを集中化するための固定的手段は、
それぞれが、少なくとも一つのプロトコルアナライザから成る別個のグループに付随するとともに監視可能なタイプのインタフェースとも結合した、少なくとも一つの信号データベースと、
前記各プロトコルアナライザによって記録および時間刻印される前記信号情報を、該プロトコルアナライザがそれぞれ属するグループに付随する前記信号データベースに向けて送信するための送信手段と、
を備えることが好ましい。
【００３５】
前記各プロトコルアナライザによって記録および時間刻印された前記信号情報を送信するための手段は、一つの独立した送信ネットワークを備えると有利である。
【００３６】
独立なデータ送信ネットワークは例えばオペレータに固有のＬＡＮ(local area network)またはＷＡＮ(wide area network) タイプの情報ネットワークである。
【００３７】
前記記録および時間刻印手段はまた各プロトコルアナライザを遠隔制御する手段をも備えるのが有利である。
【００３８】
かくして、プロトコルアナライザ遠隔制御手段によって、技術者が地域を移動する必要はなくなる。
【００３９】
前記局所限定情報を前記信号情報に結合させるための手段は、
局所限定データベースと、
それぞれが、時間刻印された局所限定情報を配信する一つの局所限定・時間刻印装置と、移動制御局として知られた、前記移動局の一つを備えた、少なくとも一つの移動制御ユニットと、
前記各信号データベース内に記憶された前記時間刻印された信号情報の少なくともあるきまった情報要素が、前記局所限定データベースに記憶された時間刻印された局所限定情報と結合するように、前記各信号データベースを前記局所限定データベースに同期させるための同期化手段とを備え、
前記移動制御局はデータ送信モードで機能するとともに、前記セルラ無線通信ネットワーク上の前記移動制御局によって構築された通信リンクを経由して、前記時間刻印された局所限定情報が前記局所限定データベースに送信されるように前記局所限定装置と協力し、
前記通信リンクに関係する信号情報は、少なくなくとも一つの前記プロトコルアナライザによって記録かつ時間刻印されるとともに、該プロトコルアナライザが属するグループに結合する前記信号データベースに向けて送信され、そこに記憶されるように構成されることが好ましい。
【００４０】
かくしてイベント、すなわち特定のルートを経由して移動するオペレータによって配信される呼び出し（コール）、を生成する第３のタイプのプロトコルメッセージが生成される。思い起こすと、イベントを生成する他の２つのタイプのプロトコルメッセージは、すでに記述したように、プロトコルメッセージ生成器にプログラムされたシナリオは言うに及ばず、実際の加入者の呼び出しおよび移動である。
【００４１】
本発明における移動制御局は、全く従来の装置であることに気づくことが大切である。そのため、それにかかるコストは、（「追跡スタッフ」として知られる）上記第１の従来技術で知られるような特定の移動追跡ユニットよりはずっと低いもの（２０倍も低いもの）となる。
【００４２】
前記局所限定・時間刻印装置は単純または差分ＧＰＳタイプの衛星測位システムであることが好ましい。
【００４３】
かくして、（単純ＧＰＳの場合、）縦横に関して非常に正確な（約１００メートル以内の）局所限定が実現され、（差分ＧＰＳの場合、）高さに関しても同様に正確である。加えて、非常に正確な時間信号もまた局所限定情報に時間刻印するのに利用することができる。
【００４４】
前記局所限定・時間刻印装置はまた固定された局所限定局を含み、前記移動制御局によって送信された前記局所限定情報が前記局所限定局から配信されたデータフローと組み合わされた後、前記局所限定データベースに記憶され、これによって局所限定の精度が増大するように構成されると有利である。
【００４５】
かくして、例えば１６メートル以内の範囲に局所限定の精度が改善される。
前記各移動制御ユニットはまた、前記局所限定・時間刻印装置から配信された前記時間刻印のなされた局所限定データをフォーマットするためのフォーマット手段をも備え、前記移動制御局から送信されたフレームに該情報を導入させることができるように構成されると有利である。
【００４６】
かくして、最も単純な場合、局所限定装置によって生成された局所限定情報は移動制御局によって送信されたフレームの中に直に導入される。局所限定情報がこの方法で移動制御局によって送信されたフレームの中に直に導入され得ない場合のみ、局所限定情報をフォーマットするための手段が用いられる。
【００４７】
前記システムは、また、時間刻印された信号情報およびそれに結合する時間刻印された局所限定データを処理および提供するための手段を備えることが有利である。
【００４８】
処理後の動作によって、エンジニアリング、パラメータ設定、運転、あるいはメンテナンスに携わるエンジニアに、グラウンドのネットワークの実際状況を提供することが可能である。こうして彼らは、解析された無線区域における質の欠陥を修正するのに必要な何らかのステップを踏むことが可能となる。一般的に、表示される結果は、明快かつ解釈が容易であることが必要である。特に、提示はマップ、グラフ、表、リスト等の形で行われることが可能である。
【００４９】
本発明の好ましい形態において、前記セルラ無線通信ネットワークはＧＳＭタイプであることが好ましい。
【００５０】
本発明は、また、対応するセルラ無線通信ネットワークの制御のための方法にも関係している。
この方法は、
前記監視可能なタイプのインタフェースの中の少なくとも一つのインタフェースを介して伝わる信号情報を記録し、時間刻印し、そして集中化させる第１のステップと、
その上に信号情報が記録される各インタフェースからのダウンラインに位置する前記セルラ無線通信ネットワークの部分を正確に局所限定するために、前記信号情報に局所限定情報を結合させるための第２のステップと、
を含み、
前記第１のステップは、
一つ以上の固定されたプロトコルアナライザを使用して、前記監視可能なタイプのインタフェースの中の少なくとも一つのインタフェースを介して伝わる信号情報を記録および時間刻印することと、
一つの独立するデータ送信ネットワークを介して、前記記録および時間刻印された信号情報を、各々が前記監視可能なタイプのインタフェースの一つに結合した一つ以上の信号データベースに向けて送信すること、
とを含んでいる。
【００５１】
また、前記第２のステップは、
局所限定・時間刻印装置によって提供された前記時間刻印された局所限定情報を、特に移動制御局として知られる移動局（ＭＳ）によって構築された通信リンクを経由して、前記セルラ無線通信ネットワーク上の局所限定データベースへ送信させることと、
前記各信号データベース内に記憶された前記時間刻印された信号情報の少なくともあるきまった情報要素が、前記局所限定データベースに記憶された時間刻印された局所限定データに結合するようにするために、前記各信号データベースを前記局所限定データベースと同期化させること、
とを含み、
前記通信リンクに関係する信号情報は、少なくなくとも一つの前記プロトコルアナライザによって記録かつ時間刻印されるとともに、該プロトコルアナライザが属するグループに結合する前記信号データベースに向けて送信され、その後、該信号データベースに記憶されるように構成されることが好ましい。
【００５２】
【発明の実施の形態】
以下、本発明の実施形態を図面を参照して詳細に説明する。
【００５３】
本発明はセルラ無線通信ネットワークを制御するためのシステムおよび方法を提供する。議論の対象となるセルラ無線通信ネットワークの一般構成はすでに図１を参照して説明がなされたので、ここでは繰り返すことは避ける。
【００５４】
以下の記述では、ただ一つのＧＳＭ(Global System for Mobile Communications) タイプのセルラ無線通信ネットワークだけを議論する。しかしながら、本発明がこの特定のタイプのネットワークに限定されることはなく、より一般的に、図１で示されたようなネットワークと実質的に同一の構成を有するすべてのネットワークに適用可能であることは明らかになろう。
【００５５】
ここでは、以下、本発明によるセルラ無線通信ネットワーク制御システムの２つの実施形態が説明される。
【００５６】
図２は第１の実施形態を示した図である。この第１の実施形態によるセルラ無線通信ネットワーク制御システムは、監視可能なタイプのインタフェース、すなわちＡｂｉｓ、Ａ、「ＣＣＩＴＴ信号システムＮｏ．７」、そしてＭＡＰタイプ、の中の少なくとも一つのインタフェースを経由して伝わる信号情報を記録および時間刻印するための固定的手段と、記録および時間刻印された信号データを集中化するための固定的手段とを備える。
【００５７】
この第１の実施形態において、信号情報を記録、時間刻印するための固定的手段は、プロトコルアナライザ２２1 、２２2 、２２3 から成るグループ２１を含む。また集中化手段は、プロトコルアナライザ２２1 、２２2 、２２3 から成るグループ２１に結合する信号データベース２４と、各プロトコルアナライザ２２1 、２２2 、２２3 によって記録、時間刻印された信号データを信号データベース２４に送信するための送信手段２５を含む。
【００５８】
プロトコルアナライザ２２1 、２２2 、２２3 として、例えばシーメンス社（ＳＩＥＭＥＮＳ）製のＫ１１０３等が挙げられる。これらのＫ１１０３モデルはＰＣタイプのマイクロコンピュータであり、これにはフレームを取得したり、さまざまなプロトコルを解析するためのインストルメンツが付加される。Ｋ１１０３モデルによって、それらに接続されたＡｂｉｓ、Ａ、「ＣＣＩＴＴ信号システムＮｏ．７」、あるいはＭＡＰタイプのインタフェースを検査して、そこから信号メッセージを引きだすことが可能となる。それらはまた、正確な基準にサーボ接続されたクロックを使って、引きだされたメッセージに時間刻印することが可能である。
【００５９】
このモデルのプロトコルアナライザは、Ａインタフェースにおいて使用されるとき、同時に２つまでのＢＳＣを綿密に検査することができることに気づかれる。こうして、図２の例では、プロトコルアナライザ２２1 ，２２2 ，２２3 の各々が、２つの別個のインタフェース２３1 ，２３2 ，２３3 ，２３4 ，２３5 ，２３6 においてセルラ無線通信ネットワークに接続されている。Ａインタフェースの場合、パリおよびその郊外と同じくらいの広さの領域をカバーさせるには、作動中にある１０個までのプロトコルアナライザが必要である。
【００６０】
数十のインタフェースを各々監視するのに、より高い効率を有するマシーンを使用することができる。この場合、上記ＰＣタイプのマイクロコンピュータをよりパワフルなワークステーションに置き換える。
【００６１】
また、プロトコルアナライザ２２1 ，２２2 ，２２3 を全体的に遠隔操作させることができる。この目的のために、本発明では、例えば他のステーション全体、ここではプロトコルアナライザ、を遠隔操作させることを可能にする通信ソフトウエアプログラムを使用する。こうしてこの場合、規則的な時間間隔で送信手段２５を介して測定ファイルを信号情報データベース２４に向けて送信させることができるようにプロトコルアナライザ２２1 ，２２2 ，２２3 をプログラムさせることができる。
【００６２】
信号情報を送信させるための送信手段２５は、例えば、制御されたセルラ無線通信ネットワークのオペレータの内部ネットワークのような、独立なデータ送信ネットワークを含む。例えば、ＬＡＮまたはＷＡＮネットワークのような内部ネットワーク（送信ネットワーク）２５はファイルを迅速かつ信頼できる形で送信できなければならない。
【００６３】
信号データベース２４は、例えば内部ネットワーク２５を介していずれかの認証局によってアクセスされるデータバンクサービス局内に位置する。このデータバンクサービスは、大きな記憶空間を備えるパワフルなマイクロコンピュータかワークステーションである。データバンクサービスは各プロトコルアナライザにおける処理前動作から引きだされたデータを復元し、それをデータベース１４に格納する。
【００６４】
この第１の実施形態では、内部ネットワーク２５に接続された２つの付加的なコンピュータ２６、２７も存在する。一つのマイクロコンピュータ２６は信号データベース２４に格納された時間刻印された信号データにアクセスする。もう一方のコンピュータ２７はこの時間刻印された信号データを使用して、解釈、フォーマッティング、または警報プログラムの実行を可能にする。
【００６５】
しかしながら、処理すべきデータ量が小さい場合は、信号データベースを管理し、データ検索プログラムを実行するのにただ一つのコンピュータを使用することが可能であることは明らかである。
【００６６】
図２に示されたような第１の実施形態では、システムはＡインタフェースにおけるネットワークを制御する。各制御レベルにおいて、別個の信号データベースは言うに及ばず、プロトコルアナライザの別個のグループに対して考慮することによって、本実施形態をＡｂｉｓ、「ＣＣＩＴＴ信号システムＮｏ．７」、あるいはＭＡＰタイプのインタフェースにおける制御に適用可能なことは当業者には明らかであろう。この場合、単一かつ同一の内部ネットワーク２５はプロトコルアナライザのさまざまなグループを、それぞれに付随する信号データベースに接続することは可能である。その替わりとして、インタフェースの各タイプについての別個の内部ネットワークに対して考慮することも可能である。
【００６７】
さらに、これら４つの制御レベルのすべて、またはこれらのいくつかだけを組み合わせることは可能である。こうして最も完ぺきな構成を有する例においては、制御システムは、４つのタイプのインタフェース、すなわちＡｂｉｓ、Ａ、「ＣＣＩＴＴ信号システムＮｏ．７」、そしてＭＡＰタイプの解析によるネットワーク制御を考慮するものである。
【００６８】
図３および図４は本発明の第２の実施形態を示した図である。既に記述した第１の実施形態のための手段に加えて第２の実施形態では、セルラ無線通信ネットワークの制御システムはさらに局所限定情報を信号情報に結合させるための手段を含むものである。ここでは、信号情報が記録される各インタフェースからのダウンラインの位置にあるセルラ無線通信ネットワークの部分を正確に局所限定することを目標とする。
【００６９】
図３は第２の実施形態を簡略的に示したものである。この図の中で、記録および時間刻印手段と集中化手段は、
Ａインタフェースを監視することによってネットワークの制御を可能にする図２のある決まった要素、すなわちプロトコルアナライザ２２１、２２２、２２３から成るグループ２１とそれに結合する信号データベース２４、および内部データ送信ネットワーク２５と、
Ａｂｉｓ、「ＣＣＩＴＴ信号システムＮｏ．７」、およびＭＡＰインタフェースを監視することによってネットワークの制御を可能にする他の要素、すなわち信号データベース３４，４４，６４にそれぞれ結合するプロトコルアナライザの他のグループ３１，４１，６１とを含む。ここで、グループ３１はプロトコルアナライザ３２1 ，３２2 ，３２3 から成り、グループ４１はプロトコルアナライザ４２1 ，４２2 ，４２3 から成り、グループ６１はプロトコルアナライザ６２1 ，６２2 ，６２3 から成る。
【００７０】
換言すると、ここに与えられた実施形態では、システムはＡ、Ａｂｉｓ、「ＣＣＩＴＴ信号システムＮｏ．７」、およびＭＡＰインタフェースから成る４タイプのインタフェースを監視することによってネットワークの制御を可能にする。
【００７１】
第２の実施形態において、信号情報に局所限定情報を結合させるための手段は、
局所限定データベース１０と、
プロトコルアナライザによって記録および時間刻印された信号データに関連して時間刻印された局所限定情報を局所限定データベース１０へ送信させることができる少なくとも一つの移動制御ユニット４５（これは図４を参照して、以下、詳細に記述される）と、
各信号データベース内に記憶された時間刻印された信号情報の少なくともあるきまった情報要素が局所限定データベース１０に記憶された時間刻印された局所限定データに結合するように、各信号データベース２４，３４，４４，６４を局所限定データベース１０に同期させるための同期化手段２０とを備える。
【００７２】
局所限定データベース１０は、例えば内部ネットワーク２５を介してアクセス可能なデータバンクサービス局による補助を受ける。
【００７３】
本実施形態では、２つの付加的なローカルマイクロコンピュータ３０，４０も内部ネットワーク２５に接続されている。一方のマイクロコンピュータ３０は、信号データベース２４，３４，４４，６４に記憶された信号データと局所限定データベース１０に記憶された局所限定データへのアクセスを可能にするデータベースマネジャである。もう一方のマイクロコンピュータ４０は信号データと局所限定データの組み合わせを用いて、解釈、フォーマッティング、または警報プログラムの実行を可能にする。
【００７４】
信号データと局所限定データを組み合わせることによって、プロトコル系列（すなわち信号情報）の転送と、それらのプロトコル系列を（すなわちネットワークの挙動を使って）地図上の明らかな形に翻訳することが可能となる。かくして、さまざまなマップ、例えば、
到達範囲（カバレッジ）が期待されるものに対応する場合に迅速な表示を可能にする「最良データバンクサービス局」のマップ、
到達範囲の間隙を与える到達範囲マップ、
ゾーン内における質全体を眺めることのできるクォリティマップ、
復興の可能なケースの同定を可能にする復興マップ、
さまざまなタイプのハンドオーバ（通話チャネル切替え）の局所限定を可能にするハンドオーバマップ、
等のさまざまなタイプのマップを獲得することができる。
【００７５】
同期化手段２０は、例えば、標準パッケージまたはカードの形態をとる。
【００７６】
局所限定データおよび信号情報に対する時間刻印は、さまざまなデータベース（局所限定データベース１０と信号データベース２４，３４，４４，６４）の同期化（または連結）の基礎になる。さまざまなネットワーク要素による処理のためにとられる時間間隔に関連する細分が存在する。細分によってインタフェース（例えばＡｂｉｓ）上のプロトコルメッセージとそれに対応する、次のインタフェース（例えばＡ、その後「ＣＣＩＴＴ信号システムＮｏ．７」）上のメッセージとの間のタイムラグ（時間の遅れ）が導入される。タイムラグを知っておくことは、セルラ無線通信ネットワークの作用の設計および制御にとって、それ自身重要なことである。
【００７７】
図４に示された特定の実施形態において、本発明による移動制御ユニット４５は移動制御局４６は言うに及ばず、局所限定・時間刻印装置４７を備える。
【００７８】
局所限定・時間刻印装置４７は、例えば、単純または差分ＧＰＳタイプの衛星測位システムである。また（図示されていない）固定的な局所限定局を使用することも可能である。この場合、移動制御局４６によって送信された局所限定情報の要素は局所限定データベース１０に格納される前に、固定的な局所限定局から送られるデータフローと組み合わされる。これによって局所限定の精度の増大がなされる。
【００７９】
移動制御局４６は、従来の移動局と全く同様のものである。またそれはデータ送信モードで機能する。
【００８０】
以下、第２の実施形態の動作を説明する。
【００８１】
移動制御ユニット４５が与えられたオペレータは、所定のルートを経由して移動する。ＧＰＳ装置４７はリアルタイムで、人工衛星群によって送信された（正確な時間信号を含む）ＧＰＳデータを受信することによって、時間刻印された局所限定情報を生成するこができる。
【００８２】
この時間刻印された局所限定情報は、通信リンクを経由して、（移動制御ユニット４５に含まれる）移動制御局４６が、「データ」モード（例えば、９６００ｂｉｔｓ／ｓ）で送信するデータフローに合流し、セルラ無線通信ネットワークを経由する通信リンクを介して局所限定データベース１０まで送られる。
【００８３】
この局所限定データベース１０において、正確な時間刻印のされた局所限定情報を取得するためにＧＰＳ時間刻印が引きだされる。より正確な局所限定においては、固定的されたＧＰＳ（差分ＧＰＳ）を使って比較がなされることは気づかれよう。
【００８４】
加えて、プロトコルアナライザ２２1 ，２２2 ，２３3 、３２1 ，３２2 ，３３3 、４２1 ，４２2 ，４２3 、６２1 ，６２2 ，６２3 から成る一つ以上のグループ２１，３１，４１，６１を介して、上記データフローに対応する信号情報、すなわち移動制御局４６からセルラ無線通信ネットワークを経由して局所限定データベース１０に送信されるフロー、が適当に選択されたインタフェースでピックアップされる。一般的に、インタフェースは、オペレータが移動する所定経路に応じて選択される。各プロトコルアナライザは正確な基準（ＧＰＳ基準、フランスＩｎｔｅｒ基準（１６２ｋＨｚ）、ドイツＤＣＦ基準（７７，５ｋＨｚ）、英国ＭＳＦ基準（６０ｋＨｚ）等）にサーボ接続されたクロックを有する。こうして、この信号情報は、信号データベース２４，３４，４４，６４に記憶される以前に、時間刻印されることが可能となる。
【００８５】
信号情報のように、局所限定情報には時間刻印がなされることから、さまざまなデータベース、すなわち局所限定データベース１０と信号データベース２４，３４，４４，６４を同期化することが可能となる。これによって、信号情報を地図の上で測位すること（そしてそれを電話イベントの形に翻訳すること）が可能となる。
【００８６】
必要ならば、この局所限定情報が移動制御局４６によって送信されるフレームに導入されるように、本発明による移動制御ユニット４５に、局所限定装置４７によって配信された時間刻印された局所限定情報をフォーマットするための手段４８も含まれる。ただ時間刻印された局所限定情報が直接的に移動制御局４６によって送信されたフレームに導入され得ないときにのみ、これらのフォーマット手段４８が必要になることは明らかである。
【００８７】
移動制御局４６と局所限定装置４７の両方、または移動制御局４６、局所限定装置４７およびフォーマット手段４８の３つを、同一のパッケージまたは２つの異ったパッケージ（あるいは、場合によっては３つの異ったパッケージ）の中に一緒に組み込むことができる。
【００８８】
この第２の実施形態が基礎としている本発明の原理は、すなわちＧＳＭ通信リンクを介したフィードバックの中で受信された時間刻印された局所限定情報を、同じく時間刻印され、いつかのレベルのインタフェース、例えば当該ケースでは４つのレベル（Ａｂｉｓ、Ａ、「ＣＣＩＴＴ信号システムＮｏ．７」、そしてＭＡＰ）における制御に適用することのできる信号情報と組み合わせることにある。もちろん、ただ一つの、または２、３のレベルのインタフェース制御への適用は言うに及ばない。
【００８９】
本発明はまた、セルラ無線通信ネットワークを制御するための方法も提供する。上記システムで実行される際の制御方法は、図５の手順説明のための略図に示されているように、例えば以下の２つのステップを含んでいる。つまり、
Ａｂｉｓ、Ａ、「ＣＣＩＴＴ信号システムＮｏ．７」、そしてＭＡＰインタフェース等の少なくとも一つのタイプのインタフェースを介して伝わる信号情報を記録、時間刻印、そして集中化するためのステップ５１と、
信号情報に局所限定情報を結合させるためのステップ５４と、
を含んでいる。
【００９０】
信号情報を記録、時間刻印、そして集中化するステップ５１は、
一つ以上の固定的されたプロトコルアナライザ２２1 ，２２2 ，２３3 、３２1 ，３２2 ，３３3 、４２1 ，４２2 ，４２3 、６２1 ，６２2 ，６２3 を使用して、Ａｂｉｓ、Ａ、「ＣＣＩＴＴ信号システムＮｏ．７」、そしてＭＡＰタイプの中の少なくとも一つのタイプのインタフェースを介して伝わる信号情報を記録および時間刻印すること（ステップ５２）と、
一つの独立するデータ送信ネットワーク２５を介して、前記記録および時間刻印された信号情報を、各々がＡｂｉｓ、Ａ、「ＣＣＩＴＴ信号システムＮｏ．７」、そしてＭＡＰタイプのインタフェースの中の一つに結合した一つ以上の信号データベース２４，３４，４４，６４に向けて送信すること（図５中のステップ５３）と、
を含んでいる。
【００９１】
信号情報に局所限定情報を結合させるためのステップ５４は、
局所限定・時間刻印装置４７によって提供された時間刻印および局所限定情報を、前記セルラ無線通信ネットワーク上の局所限定データベース１０へ、特に移動制御局４６によって構築された通信リンクを経由して送信させること（図５中のステップ５５）と、
各信号データベース２４，３４，４４，６４内に記憶された前記時間刻印された信号情報の少なくともある決まった情報要素が、局所限定データベース１０に記憶された時間刻印された局所限定データに結合するようにするために、各データベース２４，３４，４４，６４を局所限定データベース１０と同期化させること（図５中のステップ５７）とを含み、
前記通信リンクに関係する信号情報は、少なくなくとも一つの前記プロトコルアナライザによって記録および時間刻印されるとともに、該プロトコルアナライザが属するグループに結合する前記信号データベースに向けて送信される（図５中のステップ５６）。
【００９２】
【発明の効果】
以上の如き本発明によれば、（スタッフメンバの数を減少させることによって、そして移動追跡ユニットが必要とされないことによって）従来のアプローチよりもより簡易かつより安価なものでありながら、ネットワークの動作状況に関する情報を最大限に収集することのできる、セルラ無線通信ネットワークを制御するためのシステムおよび方法を提供することことができる。
また、本発明に係る、セルラ無線通信ネットワークを制御するためのシステムおよび方法よれば、測定の間に得られるネットワークの動作状況に関するデータに基づいて、測定段階と供給段階の間の時間間隔を縮小させることができる。また、（ネットワークを使用する）消費者の観点は言うに及ばず、（ネットワークを管理する）オペレータの観点に立って、ネットワークの動作を把握することができる。さらに、解析されるネットワーク部分を正確に局所限定するとともに、グラウンドにおける動作の実際状況を把握することができる。
【図面の簡単な説明】
【図１】セルラ無線通信ネットワークの一般的構成を示した略構成図。
【図２】図１のセルラ無線通信ネットワークの制御を行うための本発明の第１の実施形態による制御システムの略構成図。
【図３】図１のセルラ無線通信ネットワークの制御を行うための本発明の第２の実施形態による制御システムの略構成図。
【図４】図３に示された本発明の第２の実施形態によるセルラ無線通信ネットワークの制御システムに含まれる移動制御局の一実施形態を示した略構成図。
【図５】図１のセルラ無線通信ネットワークの制御を行うための本発明による制御方法の手順の流れを説明するための略図。
【符号の説明】
１０  局所限定データベース
２１，４１，６１  プロトコルアナライザのグループ
２０  同期化手段
２２1 ，２２2 ，２２3   プロトコルアナライザ
２４  信号データベース
２５  送信手段（内部ネットワークまたは送信ネットワーク）
２６，２７  コンピュータ
３０  データベースマネジャ（ローカルマイクロコンピュータ）
３２1 ，３２2 ，３２3   プロトコルアナライザ
３４  Ａｂｉｓ信号データベース
４０  データ検索手段（ローカルマイクロコンピュータ）
４２1 ，４２2 ，４２3   プロトコルアナライザ
４４  「ＣＣＩＴＴ信号システムＮｏ．７」信号データベース
４５  移動制御ユニット
４６  移動制御局
４７  局所限定装置
４８  フォーマット手段
６２1 ，６２2 ，６２3   プロトコルアナライザ
６４  ＭＡＰ信号データベース
【図１】
0003957834.tif 000002
【図２】
0003957834.tif 000003
【図３】
0003957834.tif 000004
【図４】
0003957834.tif 000005
【図５】
0003957834.tif 000006